【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
買上商品として登録された商品の決済処理を実行する複数の決済装置とネットワークで接続されてチェックアウトシステムを構成する商品登録装置において、
買上商品として登録する商品を特定する商品コードを取得する取得手段と、
前記取得手段により取得された商品コードで特定される商品を買上商品として登録する登録手段と、
前記登録手段により買上商品として登録された商品のリストと第１のキー及び第２のキーとを表した第１の画面を表示する第１の表示手段と、
前記第１のキーが操作された場合、前記登録手段により買上商品として登録された商品の決済のための情報の転送先の選択肢として複数の前記決済装置を表した第２の画面を表示する第２の表示手段と、
前記第２のキーが操作された場合、金銭の在高の問い合わせ先の選択肢として複数の前記決済装置を表した第３の画面を表示する第３の表示手段と、
を具備する商品登録装置。
【請求項２】
前記決済装置は、金銭を収容する釣銭機を備え、金銭の在高の問い合わせに対して、前記釣銭機における金銭の在高を表す在高情報を前記商品登録装置へ送信する送信手段を備えるものであり、
前記商品登録装置はさらに、
前記第３の表示手段により表示された第３の画面に表された複数の前記決済装置の中から一の決済装置を決定する決定手段と、
前記決定手段によって決定された一の決済装置に対して金銭の在高の問い合わせを行う問い合わせ手段と、
前記送信手段により送信された在高情報を受信する受信手段と、
前記受信手段によって受信された在高情報を表す第４の画面を表示する第４の表示手段と、
を具備する請求項１に記載の商品登録装置。
【請求項３】
前記釣銭機は、複数金種の金銭を収容可能であり、
前記送信手段は、前記釣銭機における金種毎の金銭の在高を表す在高情報を送信するものであり、
前記第４の表示手段は、前記受信手段によって受信された在高情報に基づいて金種毎の金銭の在高を表す第４の画面を表示する、
請求項２に記載の商品登録装置。
【請求項４】
前記第２の表示手段及び前記第３の表示手段は、第２の画面及び第３の画面にそれぞれ、同じ決済装置を選択肢として表す、
請求項１乃至請求項３のいずれか一項に記載の商品登録装置。
【請求項５】
買上商品として登録された商品の決済処理を実行する複数の決済装置とネットワークで接続されてチェックアウトシステムを構成する商品登録装置を制御するコンピュータを、
買上商品として登録する商品を特定する商品コードを取得する取得手段と、
前記取得手段により取得された商品コードで特定される商品を買上商品として登録する登録手段と、
前記登録手段により買上商品として登録された商品のリストと第１のキー及び第２のキーとを表した第１の画面を表示する第１の表示手段と、
前記第１のキーが操作された場合、前記登録手段により買上商品として登録された商品の決済のための情報の転送先の選択肢として複数の前記決済装置を表した第２の画面を表示する第２の表示手段と、
前記第２のキーが操作された場合、金銭の在高の問い合わせ先の選択肢として複数の前記決済装置を表した第３の画面を表示する第３の表示手段と、
して機能させるための制御プログラム。
【請求項６】
前記決済装置は、金銭を収容する釣銭機を備え、金銭の在高の問い合わせに対して、前記釣銭機における金銭の在高を表す在高情報を前記商品登録装置へ送信する送信手段を備えるものであって、
前記コンピュータをさらに、
前記第３の表示手段により表示された第３の画面に表された複数の前記決済装置の中から一の決済装置を決定する決定手段と、
前記決定手段によって決定された一の決済装置に対して金銭の在高の問い合わせを行う問い合わせ手段と、
前記送信手段により送信された在高情報を受信する受信手段と、
前記受信手段によって受信された在高情報を表す第４の画面を表示する第４の表示手段と、
して機能させるための請求項５に記載の制御プログラム。
【手続補正２】
【補正対象書類名】明細書
【補正対象項目名】０００８
【補正方法】変更
【補正の内容】
【０００８】
実施形態の商品登録装置は、取得手段、登録手段、第１の表示手段、第２の表示手段及び第３の表示手段を備える。取得手段は、買上商品として登録する商品を特定する商品コードを取得する。登録手段は、取得手段により取得された商品コードで特定される商品を買上商品として登録する。第１の表示手段は、登録手段により買上商品として登録された商品のリストと第１のキー及び第２のキーとを表した第１の画面を表示する。第２の表示手段は、第１のキーが操作された場合、登録手段により買上商品として登録された商品の決済のための情報の転送先の選択肢として複数の決済装置を表した第２の画面を表示する。第３の表示手段は、第２のキーが操作された場合、金銭の在高の問い合わせ先の選択肢として複数の決済装置を表した第３の画面を表示する。
【手続補正３】
【補正対象書類名】明細書
【補正対象項目名】００９２
【補正方法】変更
【補正の内容】
【００９２】
Ａｃｔ１６においてＣＰＵ１１ａは、問合せ情報を、指定された決済装置１２を宛先としてＬＡＮ１３へと送信するように通信ユニット１１ｊを制御する。問合せ情報は、釣銭機１２ｅが収容する金銭の在高の問い合わせであることを示すコマンドと、問い合わせ元の商品登録装置１１を識別するための識別情報とを少なくとも含む。かくして制御プログラムに基づいて上記の制御処理をＣＰＵ１１ａが実行することによって、ＣＰＵ１１ａを中枢部分とするコンピュータは選択部および問合せ部として機能する。
【手続補正４】
【補正対象書類名】明細書
【補正対象項目名】００９５
【補正方法】変更
【補正の内容】
【００９５】
一方、決済装置１２において釣銭機１２ｅは、収容している金銭の在高を、金種毎に定期的に監視し、在高情報を更新している。本実施形態では、在高情報は、金種毎の在高を、それぞれの収容枚数として表すこととする。また在高情報は、異常状態にある金種に関連付けて、どのような異常状態にあるかを表す状態情報を含む。ここでは状態情報は、「即補充」「補充」「回収」および「即回収」のいずれかを示す。「即補充」は、収容枚数が第１の閾値以下である状態である。「補充」は、収容枚数が第２の閾値以下である状態である。「回収」は、収容枚数が第３の閾値以上である状態である。「即回収」は、収容枚数が第４の閾値以下である状態である。各閾値は、第１の閾値＜第２の閾値＜第３の閾値＜第４の閾値の関係にある。また第１および第２の閾値は、０に近い値として予め定められる。第３および第４の閾値は、収容可能枚数に近い値として予め定められる。なお、異常状態の判定は、商品登録装置１１において行うようにしても良い。
【手続補正５】
【補正対象書類名】明細書
【補正対象項目名】０１２９
【補正方法】変更
【補正の内容】
【０１２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  金銭を収容する釣銭機を備えて商品の買い上げについての決済処理を顧客による操作に応じて実行する決済装置とともにチェックアウトシステムを構成するものであって、
前記商品に関する情報を登録して、当該登録した商品の決済のための決済情報を生成する生成部と、
前記生成部により生成された前記決済情報を前記決済装置に送信する送信部と、
前記決済装置に対して、前記釣銭機が収容する金銭の在高の問合せを行う問合せ部と、
前記問合せ部による問合せに応じて前記決済装置により送信された在高情報を受信する受信部と、
前記受信部により受信された前記在高情報が表す在高を表示する表示部と、
前記在高情報が表す在高に、予め定められた異常が存在する場合に、操作者による通知指示に応じて、予め定められた通知先に在高異常を通知する通知部と、
を備える商品登録装置。
［付記２］  前記チェックアウトシステムが前記決済装置を複数含む場合に、複数の前記決済装置のうちの１つを前記操作者の操作に応じて選択する選択部をさらに備え、
前記問合せ部は、前記選択部によって選択された前記決済装置に対して前記問合せを行う、
付記１記載の商品登録装置。
［付記３］  前記釣銭機は、複数金種の金銭を収容可能であるとともに、金種毎の在高を表す在高情報を送信するものであり、
前記通知部は、前記複数金種のそれぞれに定められた規定範囲を、前記在高情報が表す金種毎の在高が逸脱する場合を異常が存在する場合とする、
付記１または２に記載の商品登録装置。
［付記４］  前記通知部は、前記在高情報が表す在高の前記規定範囲からの逸脱量を表した通知情報を前記通知先へと送信する、
付記３に記載の商品登録装置。
［付記５］  前記通知部は、金銭を収容し、前記釣銭機に補充するための金銭を出金するとともに、前記釣銭機から回収した金銭を入金する入出金機を、前記通知先とする、
付記１−４のいずれか一項に記載の商品登録装置。
［付記６］  金銭を収容する釣銭機を備えて決済処理を顧客による操作に応じて実行する決済装置とともにチェックアウトシステムを構成する商品登録装置を制御するコンピュータを、
決済の対象となる商品に関する情報を登録して、当該登録した商品の決済のための決済情報を生成する生成部と、
前記生成部により生成された前記決済情報を前記決済装置に送信するように第１の送信デバイスを制御する送信制御部と、
前記決済装置に対して、前記釣銭機が収容する金銭の在高の問合せを行う問合せ部と、
前記問合せ部による問合せに応じて前記決済装置により送信された在高情報を受信する受信部により受信された前記在高情報が表す在高を表示するように表示デバイスを制御する表示制御部と、
前記在高情報が表す在高に、予め定められた異常が存在する場合に、操作者による通知指示に応じて、在高異常を通知するための通知情報を予め定められた通知先に送信するように第２の送信デバイスを制御する通知制御部と、
して機能させるための制御プログラム。